(57)【要約】【課題】特定の発信者からの着信時に多様な着信通報を設定できるようにする。【解決手段】予めユーザが入力部３を操作して、特定の発信者毎の着信通報条件（発信者ＩＤ番号、着信通報モード、タイマ設定時間、ＬＥＤ発光色）をメモリ５に登録する。無線部２は着信時に発信者のＩＤ番号を含む着信情報を制御部１３へ出力する。制御部１３は、着信情報に含まれている発信者ＩＤ番号に基づきメモリ５に登録されている着信通報条件を参照し、特定の発信者からの着信である場合、メモリ５に登録されている発光色のＬＥＤを駆動するようにＬＥＤ駆動部１２に対して指示する。また、メモリ５に登録されている着信通報モード（鳴音／振動）に応じて鳴音駆動部８および振動駆動部１０を制御する。振動モードの場合は、メモリ５に登録されているタイマ設定時間をタイマ６に設定し、この設定時間内に応答がないときは振動モードから鳴音モードへ切替える。【選択図】      図１
2004221652.tif 000002
【特許請求の範囲】
【請求項１】
鳴音または振動による着信通報モードをユーザが選択する携帯電話機において、特定の発信者からの着信時は、予めユーザが前記特定の発信者毎に登録した着信通報モードにより通報することを特徴とする携帯電話機。
【請求項２】
鳴音または振動による着信通報モードをユーザが選択し、振動モードを選択している場合に着信したとき、所定時間を経過しても応答ないときは鳴音モードに切替える機能を有する携帯電話機において、特定の発信者からの着信時は、予めユーザが前記特定の発信者毎に登録した時間を前記所定時間に代えて設定することを特徴とする携帯電話機。
【請求項３】
請求項１または２記載の携帯電話機において、発光色の異なる複数の発光素子を有し、特定の発信者からの着信時は、予めユーザが前記特定の発信者毎に指定した前記発光素子を点灯させることを特徴とする携帯電話機。
【請求項４】
鳴音または振動による着信通報モードをユーザが選択する携帯電話機において、着信時に発信者ＩＤ番号を出力する無線部と、予めユーザが設定した特定の発信者毎の着信通報条件を格納するメモリと、着信通報時にスピーカを駆動する鳴音駆動部と、着信通報時にバイブレータを駆動する振動駆動部と、前記メモリに格納された特定の発信者毎の着信通報条件に応じて前記鳴音駆動部および前記振動駆動部を制御する制御部とを備え、前記制御部は、前記発信者ＩＤ番号に基づき前記メモリを参照し、前記着信通報条件として登録されている着信通報モードに応じて前記鳴音駆動部または前記振動駆動部を制御することを特徴とする携帯電話機。
【請求項５】
請求項４記載の携帯電話機において、時間を計測するタイマを有し、前記制御部は、振動モードが選択されている場合に着信したとき、前記発信者ＩＤ番号に基づき前記メモリを参照し、前記着信通報条件として登録されているタイマ設定時間を前記タイマに設定して前記振動駆動部に前記バイブレータを駆動させ、前記所タイマ設定時間を経過しても応答ないときは前記振動駆動部に前記スピーカを駆動させることを特徴とする携帯電話機。
【請求項６】
請求項４または５記載の携帯電話機において、発光色の異なる複数の発光素子と、これら複数の発光素子の内の指定された発光素子を駆動する発光素子駆動部とを有し、前記制御部は、前記発信者ＩＤ番号に基づき前記メモリを参照し、前記着信通報条件として登録されている発光素子を駆動するように前記発光素子駆動部を制御することを特徴とする携帯電話機。
【発明の詳細な説明】
【０００１】
【発明の属する技術分野】
本発明は携帯電話機に関し、特に着信通報モードを鳴音モードにするか振動モードにするかをユーザが選択する携帯電話機の着信通報手段に関する。
【０００２】
【従来の技術】
一般に携帯電話機は着信通報手段として、スピーカ等による鳴音モードとバイブレータ等による振動モードとをユーザが選択できるようにしている。
【０００３】
また、ユーザが振動モードを選択した場合、携帯電話機を体から離した状態のときは、振動を感知できず着信を認知できないことを回避するために、振動が所定時間以上継続したときに応答がないときには鳴音モードに切替えるようにしている。（例えば、特許文献１参照。）
【特許文献１】
特開平１０−０７０７６４号公報
【０００４】
【発明が解決しようとする課題】
上述した従来例では、ユーザが選択した着信通報モードにより最初の着信通報が行われる。また、振動モードを選択している場合は、振動による通報が所定時間以上継続しても応答がないときに鳴音モードに切替わる。
【０００５】
しかし、振動モードを選択している場合であっても、特定の発信者からの着信時には、最初から鳴音モードにしたいとか、あるいは振動モードを選択している場合に、振動モードから鳴音モードへ切替わるまでの時間を任意に設定したいとかの多様な着信通報の要求に対応できない。
【０００６】
本発明の目的は、特定の発信者からの着信時には、多様な着信通報を設定できる携帯電話機を提供することにある。
【０００７】
【課題を解決するための手段】
本発明の携帯電話機は、鳴音または振動による着信通報モードをユーザが選択する携帯電話機において、特定の発信者からの着信時は、予めユーザが前記特定の発信者毎に登録した着信通報モードにより通報する。
【０００８】
また、鳴音または振動による着信通報モードをユーザが選択し、振動モードを選択している場合に着信したとき、所定時間を経過しても応答ないときは鳴音モードに切替える機能を有する携帯電話機において、特定の発信者からの着信時は、予めユーザが前記特定の発信者毎に登録した時間を前記所定時間に代えて設定する。
【０００９】
更に、発光色の異なる複数の発光素子を有し、特定の発信者からの着信時は、予めユーザが前記特定の発信者毎に指定した前記発光素子を点灯させる。
【００１０】
具体的には、鳴音または振動による着信通報モードをユーザが選択する携帯電話機において、着信時に発信者ＩＤ番号を出力する無線部と、予めユーザが設定した特定の発信者毎の着信通報条件を格納するメモリと、着信通報時にスピーカを駆動する鳴音駆動部と、着信通報時にバイブレータを駆動する振動駆動部と、前記メモリに格納された特定の発信者毎の着信通報条件に応じて前記鳴音駆動部および前記振動駆動部を制御する制御部とを備え、前記制御部は、前記発信者ＩＤ番号に基づき前記メモリを参照し、前記着信通報条件として登録されている着信通報モードに応じて前記鳴音駆動部または前記振動駆動部を制御する。
【００１１】
また、時間を計測するタイマを有し、前記制御部は、振動モードが選択されている場合に着信したとき、前記発信者ＩＤ番号に基づき前記メモリを参照し、前記着信通報条件として登録されているタイマ設定時間を前記タイマに設定して前記振動駆動部に前記バイブレータを駆動させ、前記所タイマ設定時間を経過しても応答ないときは前記振動駆動部に前記スピーカを駆動させる。
【００１２】
更に、発光色の異なる複数の発光素子と、これら複数の発光素子の内の指定された発光素子を駆動する発光素子駆動部とを有し、前記制御部は、前記発信者ＩＤ番号に基づき前記メモリを参照し、前記着信通報条件として登録されている発光素子を駆動するように前記発光素子駆動部を制御する。
【００１３】
【発明の実施の形態】
次に本発明について図面を参照して説明する。
【００１４】
図１は本発明の一実施形態を示すブロック図であり、アンテナ１を介して無線基地局との送受信を行う無線部２と、ユーザが着信通報の条件を設定するための入力部３と、各種情報を表示する表示部４と、ユーザが設定した特定の発信者毎の着信通報条件を格納するメモリ５と、設定された時間を計測するタイマ６と、スピーカ７と、着信通報時にスピーカ７を駆動する鳴音駆動部８と、バイブレータ９と、着信通報時にバイブレータ９を駆動する振動駆動部１０と、発光色の異なる複数のＬＥＤ（発光素子）１１と、着信通報時に複数のＬＥＤの内の指定されたＬＥＤを駆動するＬＥＤ駆動部１２と、着信時に無線部２から着信情報を受けて各部を制御する制御部１３とを備えている。
【００１５】
ここで、着信時に無線部２から制御部１３へ送出される着信情報には、網から提供される発信者のＩＤ番号が含まれている。
【００１６】
また、メモリ５に格納される着信通報条件は、例えば図２に示すように、特定の発信者毎の、発信者ＩＤ番号、着信通報モード、タイマ設定時間、ＬＥＤ発光色等である。
【００１７】
次に動作を説明する。
【００１８】
図３は制御部１３の動作を示すフローチャートである。
【００１９】
ここでは、事前にユーザが入力部３を操作して、図２に示したように、特定の発信者毎の着信通報条件をメモリ５に登録しているものとする。また、通常の着信通報モードとして鳴音モードまたは振動モードを選択しているものとする。
【００２０】
まず制御部１３は、無線部２から着信情報を受信し（ステップ１０１）、着信情報に含まれている発信者ＩＤ番号に基づきメモリ５に登録されている着信通報条件を参照して（ステップ１０２）、特定の発信者からの着信であるか否かを確認する（ステップ１０３）。
【００２１】
特定の発信者からの着信である場合、着信通報条件としてＬＥＤ発光色が指定されているか否かをチエックし（ステップ１０４）、発光色が指定されているならば該当発光色のＬＥＤを駆動するようにＬＥＤ駆動部１２に対して指示する（ステップ１０５）。
【００２２】
次に、着信通報モードが鳴音モードなのか振動モードなのかをチエックし（ステップ１０６）、振動モードが指定されているならば、更にタイマ設定時間をチエックし（ステップ１０７）、タイマ設定時間が指定されているならば、指定された時間をタイマ６に設定する（ステップ１０８）。
【００２３】
そして、タイマ６を起動すると共に（ステップ１０９）、バイブレータ９を駆動するように振動駆動部１０に対して指示する（ステップ１１０）。その後、ユーザが着信を感知して応答したならば（ステップ１１１）、バイブレータ９の駆動停止を振動駆動部１０へ指示して制御動作を終了する（ステップ１１２）。
【００２４】
また、ユーザが応答しない状態が継続しても、タイマ６の設定時間が経過したときは（ステップ１１３）、バイブレータ９の駆動停止を振動駆動部１０へ指示すると共に（ステップ１１４）、スピーカ７を駆動するように鳴音駆動部８に対して指示する（ステップ１１５）。
【００２５】
その後、ユーザが着信を感知して応答したならば（ステップ１１６）、スピーカ７の駆動停止を鳴音駆動部８へ指示して制御動作を終了する（ステップ１１７）。
【００２６】
また、ステップ１０６において、鳴音モードが指定されているならば、スピーカ７を駆動するように鳴音駆動部８に対して指示し（ステップ１１５）、その後、ユーザが着信を感知して応答したならば（ステップ１１６）、スピーカ７の駆動停止を鳴音駆動部８へ指示して制御動作を終了する（ステップ１１７）。
【００２７】
また、ステップ１０７において、タイマ設定時間が指定されていない場合は、所定の時間をタイマ６に設定した後（ステップ１１９）、ステップ１０９以降の動作を行う。
【００２８】
ところで、特定の発信者に対応してＬＥＤを発光させることにより、ＬＥＤの発光を見て発信者を容易に識別できる。この場合、発光色の異なる複数のＬＥＤを組み合わせて発光させれば、識別可能な発信者の数を増やすことができる。
【００２９】
なお、ステップ１０３において、特定の発信者からの着信でない場合は、ユーザの選択した着信通報モードが振動モードであるならば（ステップ１１８）、所定の時間をタイマ６に設定し（ステップ１１９）、ステップ１０９以降の動作を行う。また、ユーザの選択した着信通報モードが鳴音モードであるならば（ステップ１１８）、ステップ１１５以降の動作を行う。。
【００３０】
【発明の効果】
以上説明したように本発明によれば、予めユーザが特定の発信者毎に着信通報条件を登録しておくことにより、特定の発信者からの着信時には、多様な着信通報が可能である。また、特定の発信者に対応して発光色の異なる複数のＬＥＤを組み合わせて発光させることにより、ＬＥＤの発光を見て特定の発信者を容易に識別できる。
【図面の簡単な説明】
【図１】本発明の一実施形態を示すブロック図である。
【図２】図１に示したメモリ５に格納される着信通報条件を示す図である。
【図３】図１に示した制御部１３の動作を示すフローチャートである。
【符号の説明】
２    無線部
３    入力部
５    メモリ
６    タイマ
７    スピーカ
８    鳴音駆動部
９    バイブレータ
１０    振動駆動部
１１    ＬＥＤ（発光素子）
１２    ＬＥＤ駆動部
１３    制御部
【図１】
2004221652.tif 000003
【図２】
2004221652.tif 000004
【図３】
2004221652.tif 000005